(57)【要約】【課題】  コストの上昇を抑え、且つ、サイズを増すことなく被写体照明光の強度を切り換える機構を携帯電話機に組み込む。【解決手段】  光源から出力した光の強度を切り換える光強度変更部材を設け、該光強度変更部材を駆動部材で切り換える。【選択図】        図３
2005269002.tif 000002
【特許請求の範囲】
【請求項１】
撮影手段、光源、該光源から放射された被写体照明光の強度を変える光強度変更部材及び該光強度変更部材を、使用者の操作で駆動する駆動部材を有することを特徴とする携帯電話機。
【請求項２】
前記光強度変更部材は、反射傘に対して変位可能な前記光源からなり、前記駆動部材は、前記光源を前記反射傘に対して変位させることを特徴とする請求項１に記載の携帯電話機。
【請求項３】
前記光強度変更部材は、減光フィルタを有し、前記駆動部材は、前記減光フィルタを変位させることを特徴とする請求項１に記載の携帯電話機。
【発明の詳細な説明】
【技術分野】
【０００１】
本発明は撮影手段を備えた携帯電話機に関する。
【背景技術】
【０００２】
撮影手段を備えた携帯電話機が普及しており、例えば、特許文献１、２に記載されているように、フラッシュ撮影機能を持った撮影手段を備えた携帯電話機も開発されている。
【０００３】
そして、従来のフィルムカメラやデジタルカメラでは、フラッシュ撮影には、被写体で反射した被写体照明光を検知し、検知結果に基づいて光量を制御する自動調光システムが用いられている（例えば、特許文献３）。
【特許文献１】特開２０００−２８９４７３号公報
【特許文献２】特開２０００−３４８１９７号公報
【特許文献３】特開２０００−３５６８０４号公報
【発明の開示】
【発明が解決しようとする課題】
【０００４】
携帯電話機も、撮影手段のための自動調光機能を備えていれば、自然光撮影のみならず、人工光撮影でも良質な画像が得られるので、携帯電話機にも自動調光機能の装備が望まれている。
【０００５】
しかしながら、自動調光システムには、被写体からの反射光を受光する受光素子や信号処理回路が必要であり、このための回路基板を組み込むとコストが上昇すると言う問題があり、また、小型であることが絶対条件である携帯電話機では、前記の回路基板を組み込むことが困難であるという問題がある。
【０００６】
本発明は、撮影のための被写体照明装置を携帯電話機に組み込む際に直面する前記のような問題を解決することを目的とする。
【課題を解決するための手段】
【０００７】
前記目的は下記の発明により達成される。
（１）
撮影手段、光源、該光源から放射された被写体照明光の強度を変える光強度変更部材及び該光強度変更部材を、使用者の操作で駆動する駆動部材を有することを特徴とする携帯電話機。
（２）
前記光強度変更部材は、反射傘に対して変位可能な前記光源からなり、前記駆動部材は、前記光源を前記反射傘に対して変位させることを特徴とする前記（１）に記載の携帯電話機。
（３）
前記光強度変更部材は、減光フィルタを有し、前記駆動部材は、前記減光フィルタを変位させることを特徴とする前記（１）に記載の携帯電話機。
【発明の効果】
【０００８】
請求項１〜３のいずれかに記載の発明により、低コストで、且つ、電話機のサイズを増すことなく、フラッシュ光の強度を切り換える機能を携帯電話機に持たせることが可能となる。
【発明を実施するための最良の形態】
【０００９】
以下、本発明における携帯型電話機の実施形態の例を、各図を参照しながら説明する。
【００１０】
図１において、図１（ａ）は本発明の実施の形態に係る携帯型電話機の使用時における正面図、図１（ｂ）はその背面図である。図１に示す様に、本体部１０と蓋部２０と、本体部１０と蓋部２０とを折りたたみ可能に連結するヒンジ部３０とから構成されている。
【００１１】
本体部１０は、縦長の平板状の筐体であり、図１（ａ）に示すように、その正面側には操作キー部１１が設けられている。操作キー部１１は、ダイヤルキー、モード切替キー、電源キー、通話キー、機能キーなどの各種キーおよび撮影用ボタンを備えている。
【００１２】
蓋部２０は、本体部１０と同様に縦長の平板状の筐体であり、その正面には表示部２１が設けられている。表示部２１は液晶の表示画面にあらかじめ登録された電話番号や、入力された文章、撮影機能部で撮り込まれた画像などの情報を選択的に表示する様に構成されている。蓋部２０の背面には、撮影手段であるカメラを構成する撮影レンズ２２が配置されており、撮影時にはこの撮影レンズ２２が配置されている側を被写体に向けて、撮影用ボタンを操作することにより、画像を撮り込むようになっている。
【００１３】
撮影レンズ２２によって図示しない撮像素子に被写体像が結像され、かつ、電気信号に変換された後、本体内部の処理回路へと伝達される。
【００１４】
被写体を照明する光を出力するエレクトロニックフラッシュ装置の発光部３１は撮影レンズ２２と同じ側の蓋部２０に設けられており、透明の透光板を通して光源であるＸｅ管の光を放射する。
【００１５】
ヒンジ部３０には、本体部１０と蓋部２０との折りたたみ作動に連動して作動する、図示しない開閉スイッチが設けられており、本体部１０と蓋部２０とを開いて通話可能状態にしたときには回路を閉じ、本体部１０と蓋部２０とを閉じたときには回路を開く様に構成されている。なお、本体部１０と蓋部２０とを開いて折りたたみ開閉スイッチが閉じたときは、電話機能およびカメラ機能の使用を可能とする状態である。
【００１６】
図２は図１に示す携帯電話機の一部を断面で示す図、図３は図１に示す携帯電話機の右側面図である。
【００１７】
発光部３１は、透光板３２、Ｘｅ管等の発光素子からなる光源３３及び反射傘３４を備える。透光板３２と反射傘３４とは所定の配光特性所定を持つように構成される。
【００１８】
図３の矢印Ａで示すように、移動出来る駆動部材３５には光源３３が固定されており（光源３３の取り付け構造を示す図４参照）、光源３３は蓋部２０に固定された反射傘３４に対して移動可能である。
【００１９】
すなわち、光源３３と反射傘３４との間隔の切換を示す図５にように、光源３３と反射板３４間の間隔は駆動部材３５の操作によって２段に切り換えられる。
【００２０】
図５（ａ）に示す状態、すなわち、光源３３と反射傘３４間の間隔が小さい状態では、発光部３１の配光特性は、収束性となり、被写体中心を照明する光の強度が強くなる。
【００２１】
図５（ｂ）に示す状態、すなわち、光源３３と反射傘３４間の間隔が大きい状態では、発光部３１の配光特性は、拡散性となり、被写体中心を照明する光の強度が低くなる。
【００２２】
使用者は、通常撮影では図５（ａ）のように設定し、近距離撮影では図５（ｂ）のように設定するという操作を駆動部材３５の切換で行うことにより、常に適正な撮影が可能となる。
【００２３】
このように、光源３３は光源であるとともに、被写体を照明する光の強度を切り換える光強度変更部材として機能する。
【００２４】
図６は、被写体照明光の強度を切り換える他の例を示し、この例の切換機構を有する携帯電話機も図１に示す外観のものである。
【００２５】
光源３３と透光板３２との間にＮＤフィルタからなり、光強度変更部材としての減光フィルタ３６を介在させ、駆動部材３５の操作で、減光フィルタ３６をフラッシュ光の光路に出入させることにより、発光部３１の発光強度が調節される。
【００２６】
図６（ａ）は減光フィルタ３６が発光光路から退避した通常撮影設定の状態を示し、図６（ｂ）は減光フィルタ３６が発光光路を塞いで、照明光の強度を低くした近距離撮影設定の状態を示す。このような切換は、図６（ｃ）の側面図に示すように駆動部材３５の回矢印で示す回転操作により行われる。
【００２７】
なお、駆動部材３５を３段以上に切り換えることが出来るように構成することもできる。
【図面の簡単な説明】
【００２８】
【図１】本発明の実施の形態に係る携帯電話機の外観図である。
【図２】図１に示す形態電話機の一部を断面で示す図である。
【図３】図１に示す形態電話機の右側面図である。
【図４】光源の取り付け構造を示す図である。
【図５】光源と反射傘との間隔の切換を示す図である。
【図６】フラッシュ光の強度を切り換える他の例を示す図である。
【符号の説明】
【００２９】
１  本体部
２  蓋部
３１  発光部
３２  透光板
３３  光源
３４  反射傘
３５  駆動部材
３６  減光フィルタ
【図１】
2005269002.tif 000003
【図２】
2005269002.tif 000004
【図３】
2005269002.tif 000005
【図４】
2005269002.tif 000006
【図５】
2005269002.tif 000007
【図６】
2005269002.tif 000008